(57)【要約】【課題】内容物放出用の操作釦に使用済エアゾール容器の残留ガスを排出させる機能を持たせ、ガス抜き作業の簡単化・確実化を図る。【解決手段】操作釦１０の内容物放出用凹部１５とは反対側の天面１１に、ガス抜き用凹部１３と、ガス抜きモードでマウンテンキャップ３３に係合するストッパー１２を設けた。当該ストッパーの外側部分１２ａはマウンテンキャップのカール部内周面３３ａに対応した形状である。ガス抜きモードでは、通常使用状態の操作釦１０の上下を逆さまにして、ガス抜き用凹部１３にステム３１を嵌合させ、ストッパー１２をマウンテンキャップのカール部内周面３３ａに係合させると、底面部１３ａがステム３１を押圧した状態に自己保持されて自動的にガス抜き処理は完了する。また、通常の使用状態から偏心させた状態でステムがガス抜き作動状態に自己保持される態様のガス抜き機能を備えた操作釦も開示している。【選択図】　　図２
2004123167.tif 000002
【特許請求の範囲】
【請求項１】
エアゾール容器のステムに結合して内容物の放出操作に用いられ、かつ、ガス抜き操作の際にはこれとは別の態様で当該ステムを作動させるエアゾール容器用操作釦であって、
前記放出操作に対応のステム結合部と、
前記ガス抜き操作に対応のステム駆動部と、
前記ステム結合部が前記ステムと結合した使用モードでは前記エアゾール容器側に結合せずに、前記ステム駆動部が前記ステムを作動させたガス抜きモードでは前記エアゾール容器側に係合して前記ステムのガス抜き作動状態を自己保持する係合部と、
前記ガス抜きモードが設定されたときに前記ステムの出力側と連通するガス抜き用の開口部とを備えた、
ことを特徴とするガス抜き機能を備えたエアゾール容器用操作釦。
【請求項２】
前記ステム駆動部と前記係合部とを前記ステム結合部とは反対側の外面部分に設け、
前記ステム駆動部を凹状部として、当該凹状部と前記開口部とを連通させる孔部を形成し、
前記係合部を前記エアゾール容器側の縁部に対応する突状部とした、
ことを特徴とする請求項１記載のガス抜き機能を備えたエアゾール容器用操作釦。
【請求項３】
前記ステム駆動部と前記係合部とを前記ステム結合部と同じ側に設け、
前記ステム駆動部をリブ状部とし、
前記係合部を前記エアゾール容器側の縁部に対応する突状部として前記リブ状部を挟む両側の部分に設けた、
ことを特徴とする請求項１記載のガス抜き機能を備えたエアゾール容器用操作釦。
【発明の詳細な説明】
【０００１】
【発明の属する技術分野】
本発明は、ガス抜き機能を備えたエアゾール容器用操作釦に関し、特に内容物をほぼ使い切った後のエアゾール容器（以下、必要に応じて「使用済エアゾール容器」という。）の残留ガスを簡単・確実に外部空間に排出させる機能を備えたエアゾール容器用操作釦に関する。
【０００２】
【従来の技術】
使用済エアゾール容器には内容物放出用のガスが残っていることが多く、その状態で焼却されると爆発事故を起こすことがある。
【０００３】
そのため、この残留ガスを外部空間に排出してからエアゾール容器を廃棄することが望ましく、使用済エアゾール容器の残留ガスを抜くための専用バルブボタンや当該ボタンを備えたキャップが開示されている（例えば特許文献１参照）。
【０００４】
残留ガスを抜くための専用バルブボタンは、通常、エアゾール容器に内容物が入っている間は必要がないので、内容物を使い切るまで保管しておく。
【０００５】
一方、残留ガスを抜くためのバルブボタンを備えたキャップはエアゾール容器の使用・不使用の度にエアゾール容器から着脱される。
【０００６】
そして、使用済エアゾール容器のガス抜き作業をする場合には、
・操作釦を取り外した上で、当該バルブボタンやキャップをエアゾール容器に係合させてステムを直接押圧する、
・操作釦を取り付けたまま当該バルブボタンやキャップをエアゾール容器に係合させて操作釦を押圧する（ステムは間接的に押圧される）、
ようにしている。
【０００７】
【特許文献１】
特開２００２−１２２７６号公報
【０００８】
【発明が解決しようとする課題】
このように、従来の使用済エアゾール容器の残留ガスを抜くための専用のバルブボタンは、内容物を使い切るまで保管しておく必要があり、その管理が面倒であるという問題点があった。
【０００９】
また、ガス抜き用のボタンを備えたキャップは、エアゾール容器使用中に当該キャップの取り外しを繰り返し行っている間に紛失してしまうことがあり、その結果ガス抜き作業ができないという問題点があった。
【００１０】
そこで本発明では、内容物を使い切るまでエアゾール容器に取り付けられて使用される内容物放出用の操作釦に、ガス抜き機能とガス抜き状態を自己保持する機能とを持たせて、ガス抜き作業の簡単化・確実化を図ることを目的とする。
【００１１】
【課題を解決するための手段】
本発明はこれらの課題を次のようにして解決する。
（１）エアゾール容器（例えば後述のエアゾール容器３０）のステム（例えば後述のステム３１）に結合して内容物の放出操作に用いられ、かつ、ガス抜き操作の際にはこれとは別の態様で当該ステムを作動させるエアゾール容器用操作釦（例えば後述のガス抜き機能を備えた操作釦１０，２０）であって、前記放出操作に対応のステム結合部（例えば後述の内容物放出用凹部１５，２６）と、前記ガス抜き操作に対応のステム駆動部（例えば後述のガス抜き用凹部１３，リブ２４）と、前記ステム結合部が前記ステムと結合した使用モードでは前記エアゾール容器側に結合せずに、前記ステム駆動部が前記ステムを作動させたガス抜きモードでは前記エアゾール容器側に係合して前記ステムのガス抜き作動状態を自己保持する係合部（例えば後述のストッパー１２，突状部２３ａ，２５ａ）と、前記ガス抜きモードが設定されたときに前記ステムの出力側と連通するガス抜き用の開口部（例えば後述の開口部１４，内部空間２０ａ）を備える。
（２）上記（１）において、前記ステム駆動部と前記係合部とを前記ステム結合部とは反対側の外面部分（例えば後述の天面１１）に設け、前記ステム駆動部を凹状部（例えば後述のガス抜き用凹部１３）として、当該凹状部と前記開口部とを連通させる孔部（例えば後述の孔部１３ｂ）を形成し、前記係合部を前記エアゾール容器側の縁部（例えば後述のマウンテンキャップのカール部内周面３３ａ）に対応する突状部（例えば後述のストッパー１２）とする。
（３）上記（１）において、前記ステム駆動部と前記係合部とを前記ステム結合部と同じ側に設け、前記ステム駆動部をリブ状部（例えば後述のリブ２４）とし前記係合部を前記エアゾール容器側の縁部（例えば後述のクリンチ部分３３ｅ，凹部３３ｇ）に対応する突状部（例えば後述の突状部２３ａ，２５ａ）として前記リブ状部を挟む両側の部分に設ける。
【００１２】
本発明によれば、上記（１）のように、内容物放出用の操作釦に、ガス抜き機能に対応のステム駆動部、ガス抜きモードでエアゾール容器側に係合してステム駆動部のステム押圧状態を自己保持する係合部、ステムから出力される残留ガスが送られる開口部などを設けている。
【００１３】
これにより、内容物を使い切るまで使用する内容物放出用の操作釦にガス抜き機能とガス抜き状態を自己保持する機能とを付加し、使用済エアゾール容器のガス抜き作業の簡単化・確実化を図っている。
【００１４】
また、上記（２）のように、ガス抜き操作に対応のステム駆動用の凹状部とガス抜きモードでエアゾール容器側の縁部に係合してステムのガス抜き作動状態を自己保持する突状部を、内容物の放出操作に対応のステム結合部とは反対側の外面部分に設けている。
【００１５】
これにより、操作釦を通常の使用状態とは上下を逆にした状態でステムが作動され、操作釦はガス抜きモードに自己保持される。
【００１６】
また、上記（３）のように、ガス抜き操作に対応のステム駆動用のリブ状部とガス抜きモードでエアゾール容器側の縁部に係合してステムのガス抜き作動状態を自己保持する突状部を、内容物の放出操作に対応のステム結合部と同じ側に設けている。
【００１７】
これにより、操作釦を通常の使用状態から偏心した状態でステムが作動され、操作釦はガス抜きモードに自己保持される。
【００１８】
さらに、上記（２）および上記（３）のように、ガス抜きモードでエアゾール容器側に係合する突状部を、エアゾール容器の形状に対応させたりステム押圧用のリブ状部を挟んで対向するように設けている。これにより、ガス抜きモードで操作釦は確実にエアゾール容器側に係合し、ステムをガス抜き作動状態に保持する。
【００１９】
【発明の実施の形態】
図１乃至図４を用いて、本発明の実施の形態を説明する。
図１および図２は通常の使用状態を逆さまにしてガス抜きモードに設定する操作釦（その１）の説明図であり、図１（ａ）は当該操作釦単体の上面図、図１（ｂ）は当該操作釦の通常の使用状態（エアゾール容器の非作動モード）、図２はガス抜きモードを示している。図３および図４は通常の使用状態から偏心させてガス抜きモードに設定する操作釦（その２）の説明図であり、図３（ａ）は当該操作釦単体、図３（ｂ）当該操作釦の通常の使用状態（エアゾール容器の非作動モード）、図４はガス抜きモードを示している。
【００２０】
これらの図において、
１０はガス抜き機能を備えた操作釦（その１），１０ａは上端部，１０ｂは外周面，
１１は当該操作釦の天面，
１２は後述のマウンテンキャップのカール内周面３３ａに係止して操作釦１０がガス抜きモードに自己保持されるストッパー，１２ａは当該ストッパーの外側部分，
１３はガス抜きモードで後述のステム３１と嵌合するガス抜き用凹部，１３ａはステム３１を押圧する底面部，１３ｂはガス抜き用の孔部，
１４はガス抜きモードにおける放出空間となる開口部，
１５は通常の使用状態で後述のステム３１と嵌合する内容物放出用凹部，１５ａは内容物放出用通路，
１６は放出口部材，１６ａは放出口，
２０はガス抜き機能を備えた操作釦（その２），２０ａは当該操作釦の成型時に形成される内部空間，
２１は当該操作釦の天面，
２２は本体部，２２ａは当該本体部に形成されたガス抜き用の開放部，
２３は後述のマウンテンキャップのハウジング保持部３３ｄに係止してガス抜きモードに設定する周回ストッパー，２３ａはガス抜きモードにおいて後述のマウンテンキャップ３３のクリンチ部分３３ｅと嵌合する突状部，２３ｂは当該周回ストッパーの下端部，
２４はガス抜きモードで後述のステム３１を押圧するリブ，２４ａは当該リブの下端部，２４ｂはガス抜き用の切欠き部分，
２５は後述のマウンテンキャップ３３に係止してガス抜きモードに設定するフック状ストッパー，２５ａはガス抜きモードでマウンテンキャップ３３の凹部３３ｇと嵌合する当該ストッパーの内周面に形成された突状部，２５ｂは当該ストッパーの内側上面部，
２６は通常の使用状態で後述のステム３１と嵌合する内容物放出用凹部，２６ａは内容物放出用通路，
２７は放出口部材，２７ａは放出口，
３０はエアゾール容器，
３１はステム，
３２はハウジング，
３３はマウンテンキャップ，３３ａは当該マウンテンキャップのカール部内周面，３３ｂは当該マウンテンキャップのカール部上縁部，３３ｃは当該マウンテンキャップのカール部内側に形成された窪み部，３３ｄは当該マウンテンキャップのハウジング保持部，３３ｅは当該マウンテンキャップ３３をハウジング３２に取り付ける際に形成されるクリンチ部分，３３ｆは当該マウンテンキャップのカール部外側部分，３３ｇは当該マウンテンキャップのカール部下側に形成された凹部，
３４は容器本体，
Ｌ１　はストッパー１２の外側部分１２ａとガス抜き用凹部１３の放出口側内周面との間の長さ，
Ｌ２　は操作釦１０の上端部１０ａとガス抜き用凹部１３の底面部１３ａとの間の長さ，
Ｌ３　はステム３１とマウンテンキャップ３３のカール部内周面３３ａとの間の長さ，
Ｌ４　はステム３１の先端部とマウンテンキャップ３３のカール部上縁部３３ｂとの間の長さ，
Ｌ５　はフック状ストッパー２５の内周面と周回ストッパー２３の内周面との間の長さ，
Ｌ６　は周回ストッパー２３の下端部２３ｂとリブ２４の下端部２４ａとの間の長さ，
Ｌ７　はマウンテンキャップ３３のハウジング保持部３３ｄとマウンテンキャップ３３のカール部外側部分３３ｆとの間の長さ，
Ｌ８　はクリンチ部分３３ｅの下側部分とステム３１の先端部との間の長さ，
をそれぞれ示している。
【００２１】
ここで、操作釦１０，２０はポリエチレン，ポリプロピレンなどの合成樹脂製、一方、マウンテンキャップ３３はステンレス，アルミニウム，ブリキなどの金属製である。
【００２２】
図１のガス抜き機能を備えた操作釦１０には、その天面１１に、
・ガス抜きモードでステム３１と嵌合するガス抜き用凹部１３、
・マウンテンキャップ３３のカール部内周面３３ａに係止してガス抜きモードに自己保持されるストッパー１２、
などが設けられている。
【００２３】
ここで、
・ストッパー１２の外側部分１２ａの曲率半径は、マウンテンキャップ３３のカール部内周面３３ａの曲率半径に対応し、
・ストッパー１２の外側部分１２ａとガス抜き用凹部１３の放出口側内周面との間の長さＬ１　は、ステム３１とマウンテンキャップ３３のカール部内周面３３ａとの間の長さＬ３　よりも長く、
・操作釦１０の上端部１０ａとガス抜き用凹部１３の底面部１３ａとの間の長さＬ２　はステム３１の先端部とマウンテンキャップ３３の上縁部３３ｂとの間の長さＬ４　よりも短くなっている。
【００２４】
図１（ｂ）に示すように、通常の使用状態ではステム３１は操作釦１０の内容物放出用凹部１５に嵌合している。この状態で操作釦１０の天面１１を押圧すると、内容物放出機構により、容器本体３４の内容物がステム３１（内容物放出用凹部１５）や放出用通路１５ａを通過して放出口１６ａから外部空間に放出される。
【００２５】
エアゾール容器３０内の残留ガスを抜く場合は、
（１）操作釦１０の外周面１０ｂを持って上方向に引き上げ、ステム３１と内容物放出用凹部１５との嵌合を解除し、
（２）操作釦１０を一旦エアゾール容器３０から取り外し、
（３）取り外した操作釦１０の上下を逆さまにし、
（４）ガス抜き用凹部１３にステム３１を挿入してその底面部１３ａに当接させるとともに、
（５）操作釦１０の上端部１０ａがマウンテンキャップ３３のカール部上縁３３ｂに当接するまでストッパー１２をマウンテンキャップ３３の内周面３３ａに押し込む。
【００２６】
なお、図２に示すように、操作釦１０の上端部１０ａがマウンテンキャップ３３のカール部上縁３３ｂに当接すると、ストッパー１２の外側部分１２ａはマウンテンキャップ３３のカール部内周面３３ａに確実に係止された状態に位置決めされる。
【００２７】
このとき、
・上述したように、ストッパー１２の外側部分１２ａとガス抜き用凹部１３の放出口側内周面との間の長さＬ１　は、ステム３１とマウンテンキャップ３３のカール部内周面３３ａとの間の長さＬ３　よりも長く、
・操作釦１０は合成樹脂製なのである程度の弾性があり、
・一方マウンテンキャップ３３は金属製なので操作釦１０に比べて硬質であるため、
操作釦１０のストッパー１２はその弾性力によってマウンテンキャップ３３のカール部内周面３３ａに強制的に押し付けられるかたちで係止される。
【００２８】
また、
・ステム３１はガス抜き用凹部１３に嵌合し、
・操作釦１０の上端部１０ａからガス抜き用凹部１３の底面部１３ａまでの長さＬ２　は、マウンテンキャップの上縁部３３ｂからステム３１の先端部までの長さＬ４　よりも短いので、
ガス抜き用凹部１３の底面部１３ａがステム３１を押圧した状態が維持される。
【００２９】
その結果、ステム３１に対する弁（図示省略）が開き、容器本体３４の残留ガスは、ステム３１（ガス抜き用凹部１３）−孔部１３ｂ−開口部１４を経て外部空間に排出される。
【００３０】
また、上述の係止作用により操作釦１０はガス抜き用凹部１３の底面部１３ａがステム３１を押圧した状態に自己保持されるので、一旦操作釦１０をガス抜きモードにセットすればそのまま放置しておいても容器本体３４に残っているガスを自動的に排出させることができる。
【００３１】
ガス抜き終了後は、操作釦１０の外周面１０ｂを摘んで上側方向に引き上げてガス抜き用凹部１３とステム３１との嵌合を解除し、操作釦１０とエアゾール容器３０とを分別して廃棄すればよい。
【００３２】
なお、ガス抜き用凹部１３は、ガス抜きモードでステム３１を押圧し、ステムがその付勢力によって上動しない程度に保持するような形状であればよく、必ずしも嵌合する必要はない。また、底面部１３ａにステム押圧用のリブを形成しても良い。
【００３３】
また、ストッパー１２の外側部分１２ａに突状部を設け、ガス抜きモードでマウンテンキャップ３３のカール部内側に形成された窪み部３３ｃに係止されるようにしてもよい。
【００３４】
図３は天地を反転させるのではなく通常の使用状態からずらしてステム３１にセットし、ガス抜きモードに設定する操作釦２０である。
【００３５】
図３に示すように、操作釦２０の内部空間２０ａにはガス抜きモードでステム３１を押圧するリブ２４が内容物放出用凹部２６に隣接して備えられている。また、本体部２２には、ガス抜き用の開放部２２ａが形成され、外周面にはガス抜きモード設定用の周回ストッパー２３とフック状ストッパー２５とが対向するかたちで設けられている。
【００３６】
ここで、
・周回ストッパー２３の内周面の曲率半径は、マウンテンキャップ３３のハウジング保持部３３ｄの曲率半径に対応し、突状部２３ａはマウンテンキャップ３３のクリンチ部分３３ｅに対応する間隔で形成され、
・フック状ストッパー２５の内周面と周回ストッパー２３の内周面との間の長さＬ５　は、マウンテンキャップ３３のハウジング保持部３３ｄとマウンテンキャップ３３のカール部外側部分３３ｆとの間の長さＬ７　と略同一であり、
・周回ストッパー２３の下端部２３ｂとリブ２４の下端部２４ａとの間の長さＬ６　はマウンテンキャップ３３のクリンチ部分３３ｅの下側部分とステム３１の先端部との間の長さＬ８　よりも短くなっている。
【００３７】
図３（ｂ）に示すように、通常の使用状態ではステム３１は内容物放出用凹部２６に嵌合している。なお、この状態で操作釦２０の天面２１を押圧すると、容器本体３４の内容物がステム３１や放出用通路２６ａを通過して放出口２７ａから外部空間に放出される。
【００３８】
エアゾール容器３０の残留ガスを抜く場合は、
（１）操作釦の本体部２２を持って上方向に引き上げ、ステム３１と内容物放出用凹部２６との嵌合を解除し、
（２）操作釦２０をエアゾール容器３０から取り外し、
（３）取り外した操作釦２０を図示左方向にずらし、
（４）ステム３１にリブ２４の下端部２４ａを当接させて当該ステムを押し下げるとともに、
（５）周回ストッパー２３の突状部２３ａをマウンテンキャップ３３のクリンチ部分３３ｅに嵌合させ、
（６）フック状ストッパー２５の内側上面２５ｂがマウンテンキャップ３３のカール部上縁３３ｂに当接するまで操作釦２０を押し込んで、突状部２５ａをマウンテンキャップ３３の凹部３３ｇに嵌合させる。
【００３９】
図４に示すように、フック状ストッパー２５の内側上面２５ｂがマウンテンキャップ３３のカール部上縁３３ｂに当接すると、それまでマウンテンキャップ３３のカール部外側部分３３ｆに乗り上げていた突状部２５ａは当該マウンテンキャップの凹部３３ｇに入り込むように位置決めされる。
【００４０】
上述したように、周回ストッパー２３の下端部２３ｂからリブ２４の下端部２４ａまでの長さＬ６　はマウンテンキャップ３３のクリンチ部分３３ｅの下側部分からステム３１の先端部までの長さＬ８　よりも短いので、ステム３１はリブ２４の下端部２４ａによって押圧される。
【００４１】
その結果、ステム３１に対する弁（図示省略）が開き、容器本体３４の残留ガスは、ステム３１−切欠き部分２４ｂ−内部空間２０ａ−開放部２２ａを経て外部空間に排出される。
【００４２】
また、フック状ストッパー２５の内周面から周回ストッパー２３の内周面までの長さＬ５　は、マウンテンキャップ３３のハウジング保持部３３ｄとマウンテンキャップ３３のカール部外側部分３３ｆとの間の長さＬ７　と略同一なので、周回ストッパー２３の突状部２３ａはマウンテンキャップ３３のクリンチ部分３３ｅに強く係止し、フック状ストッパー２５の突状部２５ａはマウンテンキャップ３３の凹部３３ｇに強く係止する。
【００４３】
この係止作用により、操作釦２０はリブ２４の下端部２４ａがステム３１を押圧した状態に自己保持されるので、一旦操作釦２０をガス抜きモードにセットすればそのまま放置しておいても容器本体３４に残っているガスを自動的に排出させることができる。
【００４４】
なお、リブ２４はガス抜きモードでステム３１を押圧するような形状であればよく、例えば、切欠き部分２４ｂは形成しなくてもよい。
【００４５】
また、操作釦２０がガス抜きモードに自己保持される、すなわちリブ２４の下端部２４ａでステム３１を押圧した状態を継続するための手段として、周回ストッパーやフック状ストッパーに突状部を設けずに、例えば、周回ストッパー２３の内周面とフック状ストッパー２５の内周面との間の長さＬ５　を、マウンテンキャップ３３のハウジング保持部３３ｄとマウンテンキャップ３３のカール部外側部分３３ｆとの間の長さＬ７　よりも少しだけ小さくしてもよい。
【００４６】
なお、上述の実施例では、操作釦が合成樹脂製、マウンテンキャップが金属製の場合について説明したが、操作釦が金属製、マウンテンキャップがプラスチック製でもよく、また、操作釦，マウンテンキャップがともに金属製，プラスチック製でもよい。
【００４７】
さらに、操作時に傾斜するティルト形式の操作部材に、ガス抜き操作に対応のステム駆動部やガス抜きモードでエアゾール容器側に係合してステムをガス抜き作動状態に自己保持されるような係合部を設けてもよい。
【００４８】
以上のガス抜き機能を備えた操作釦を用いるエアゾール式製品としては、洗浄剤，清掃剤，制汗剤，忌避剤（殺虫剤），医薬品，医薬部外品，化粧品，洗濯のりなどがある。
【００４９】
エアゾール式製品の内容物には、金属塩類粉末，無機物粉末や樹脂粉末などを用いる。例えばタルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００５０】
エアゾール式製品の放出用ガスには、ＬＰＧ，ジメチルエーテル，フルオロカーボン，炭酸ガス，窒素ガス，圧縮空気，酸素ガス，希ガス，これらの混合ガスなどを用いる。
【００５１】
【発明の効果】
このように、操作釦は、ガス抜きモードでステムを駆動するステム駆動部とステムのガス抜き作動状態を自己保持するエアゾール容器側への係合部とステムから出力される残留ガスが送られる開口部などを備えているので、内容物を使い切るまで使用する内容物放出用の操作釦にガス抜き機能を付加し、使用済エアゾール容器のガス抜き作業の簡単化・確実化を図ることができる。
【００５２】
また、操作釦は、ガス抜きモードでステムを駆動する凹状部とステムのガス抜き作動状態を自己保持するようにエアゾール容器側に係合する突状部などを、放出操作に対応のステム結合部とは反対側の外面部分に設けているので、操作釦を通常の使用状態とは上下を逆にすることによってガス抜き作業を簡単に行うことができる。
【００５３】
また、操作釦は、ガス抜きモードでステムを駆動するリブ状部とステムのガス抜き作動状態を自己保持するようにエアゾール容器側に係合する突状部などを、放出操作に対応のステム結合部と同じ側に設けているので、操作釦を通常の使用状態から偏心させることによってガス抜き作業を簡単に行うことができる。
【００５４】
さらに、ガス抜きモードでエアゾール容器側に係合する突状部を、エアゾール容器側の縁部に対応するかたちにしたりステム押圧用のリブ状部を挟む両側の部分に設けているので、ガス抜きモードで操作釦は確実にエアゾール容器側に係合してステムをガス抜き作動状態に保持し、ガス抜き作業の確実化を図ることができる。
【図面の簡単な説明】
【図１】通常の使用状態を逆さまにしてガス抜きモードに設定する操作釦（その１）の説明図であり、（ａ）は当該操作釦単体の上面図、（ｂ）は当該操作釦の通常の使用状態（エアゾール容器の非作動モード）を示している。
【図２】通常の使用状態を逆さまにしてガス抜きモードに設定する操作釦（その１）の説明図であり、ガス抜きモードを示している。
【図３】通常の使用状態から偏心させてガス抜きモードに設定する操作釦（その２）の説明図であり、（ａ）は当該操作釦単体、（ｂ）当該操作釦の通常の使用状態（エアゾール容器の非作動モード）を示している。
【図４】通常の使用状態から偏心させてガス抜きモードに設定する操作釦（その２）の説明図であり、ガス抜きモードを示している。
【符号の説明】
１０：ガス抜き機能を備えた操作釦（その１）
１０ａ：上端部
１０ｂ：外周面
１１：天面
１２：ストッパー
１２ａ：ストッパーの外側部分
１３：ガス抜き用凹部
１３ａ：底面部
１３ｂ：ガス抜き用の孔部
１４：開口部
１５：内容物放出用凹部
１５ａ：内容物放出用通路
１６：放出口部材
１６ａ：放出口
２０：ガス抜き機能を備えた操作釦（その２）
２０ａ：内部空間
２１：天面
２２：本体部
２２ａ：開放部
２３：周回ストッパー
２３ａ：突状部
２３ｂ：ストッパーの下端部
２４：リブ
２４ａ：下端部
２４ｂ：ガス抜き用の切欠き部分
２５：フック状ストッパー
２５ａ：突状部
２５ｂ：内側上面部
２６：内容物放出用凹部
２６ａ：内容物放出用通路
２７：放出口部材
２７ａ：放出口
３０：エアゾール容器
３１：ステム
３２：ハウジング
３３：マウンテンキャップ
３３ａ：カール部内周面
３３ｂ：カール部上縁部
３３ｃ：窪み部
３３ｄ：ハウジング保持部
３３ｅ：クリンチ部分
３３ｆ：カール部外側部分
３３ｇ：凹部
３４：容器本体
Ｌ１　：ストッパーの外側部分とガス抜き用凹部の放出口側内周面との間の長さ
Ｌ２　：操作釦の上端部とガス抜き用凹部の底面部との間の長さ
Ｌ３　：ステムとマウンテンキャップのカール部内周面との間の長さ
Ｌ４　：ステムの先端部とマウンテンキャップのカール部上縁部との間の長さ
Ｌ５　：フック状ストッパーの内周面と周回ストッパーの内周面との間の長さ
Ｌ６　：周回ストッパーの下端部とリブの下端部との間の長さ
Ｌ７　：マウンテンキャップのハウジング保持部とマウンテンキャップのカール部外側部分との間の長さ
Ｌ８　：クリンチ部分の下側部分とステムの先端部との間の長さ
【図１】
2004123167.tif 000003
【図２】
2004123167.tif 000004
【図３】
2004123167.tif 000005
【図４】
2004123167.tif 000006